(57)【要約】【課題】本発明は、十分な保温性向上効果が得られると共に、巻き上げ作業を容易かつ確実に行うことができる農業用カーテンを提供することを課題とする。【解決手段】本発明に係る農業用カーテンは、第１シート、第２シート及び第３シートが重ねあわされ、各シート間が接着剤で部分的に接合されている。第１シートは、合成樹脂を主成分とする第１基材層及びこの第１基材層に積層される金属層を有する。第２シートは、合成樹脂又はゴムを主成分とし、多数の気孔を有する断熱層を有する。第３シートは、合成樹脂を主成分とする第２基材層を有する。各シート間の接合パターンが、一端側から他端側に連続する非接合領域を有するとよく、ストライプ状又は散点状であるとさらによい。一対のシート間の接合パターンと他対のシート間の接合パターンとが、平面視でずれているとよい。第１シートがフラットヤーンクロスをさらに有するとよい。【選択図】図２
2016149977.tif 000002
【特許請求の範囲】
【請求項１】
合成樹脂を主成分とする第１基材層及びこの第１基材層に積層される金属層を有する第１シートと、
合成樹脂又はゴムを主成分とし、多数の気孔を有する断熱層を有する第２シートと、
合成樹脂を主成分とする第２基材層を有する第３シートと
が重ねあわされ、
重ねあわされる各シート間が接着剤で部分的に接合されている農業用カーテン。
【請求項２】
上記各シート間の接合パターンが、一端側から他端側に連続する非接合領域を有する請求項１に記載の農業用カーテン。
【請求項３】
上記各シート間の接合パターンがストライプ状又は散点状である請求項２に記載の農業用カーテン。
【請求項４】
上記一対のシート間の接合パターンと他対のシート間の接合パターンとが平面視でずれている請求項３に記載の農業用カーテン。
【請求項５】
上記第１シートが、第１基材層又は金属層に接着剤を介して積層されるフラットヤーンクロスをさらに有する請求項１から請求項４のいずれか１項に記載の農業用カーテン。
【請求項６】
農業ハウスの内張に用いられる請求項１から請求項５のいずれか１項に記載の農業用カーテン。
【発明の詳細な説明】
【技術分野】
【０００１】
本発明は、農業用カーテンに関する。
【背景技術】
【０００２】
農業用カーテンは、従来からビニールハウス等の農業ハウスの内張りとして用いられており、天候や作物等に応じて保温及び遮光等を行うために適宜巻き上げ、引き下ろされて用いられている。この種の農業用カーテンとしては、不織布製のシートや、合成樹脂製シートや、金属蒸着層を有するシート等、種々のものが提案されている（例えば、特開２００７−２６７６０８号公報参照）。
【先行技術文献】
【特許文献】
【０００３】
【特許文献１】特開２００７−２６７６０８号公報
【発明の概要】
【発明が解決しようとする課題】
【０００４】
この農業用カーテンとして、金属蒸着層を有するシート、不織布製のシート及び合成樹脂製シートの３枚のシートを積層した積層体を用いることで、保温性の向上を図ることができると考えられる。
【０００５】
しかし、上記３枚のシートを全面的に接着剤で接着して積層体を得た場合、この積層体による保温性向上効果が十分に得られないことが判明した。
【０００６】
また、３枚のシートの周縁を縫合することによって、各シート間に空気が介在することで保温性向上効果が得ることも考えられるが、農業ハウス内での巻き上げ作業が困難となることが判明した。つまり、周縁を縫合した積層体では、ロール状に巻き上げていく際に、まだ巻き取られていない部分にシート間の空気が逃げ、この巻き取られていない部分が溜まった空気によって厚くなり過ぎてしまい、この部分の巻き上げが困難となる。
【０００７】
そこで、本発明は、上記不都合に鑑みて、十分な保温性向上効果が得られると共に、巻き上げ作業を容易かつ確実に行うことができる農業用カーテンを提供することを課題とする。
【課題を解決するための手段】
【０００８】
上記課題を解決するためになされた本発明に係る農業用カーテンは、
合成樹脂を主成分とする第１基材層及びこの第１基材層に積層される金属層を有する第１シートと、
合成樹脂又はゴムを主成分とし、多数の気孔を有する断熱層を有する第２シートと、
合成樹脂を主成分とする第２基材層を有する第３シートと
が重ねあわされ、
重ねあわされる各シート間が接着剤で部分的に接合されている。
【０００９】
当該農業用カーテンにあっては、金属層を有する第１シート、断熱層を有する第２シート、及び第２基材層を有する第３シートの３種のシートの積層体から構成されているので、この３種のシートによる保温性が発揮される。さらに、各シートは接着剤によって部分的に接合されているので、各シート間に空気が介在しやすく、この空気によって保温性向上効果が十分に発揮される。また、各シートは、接着剤によって部分的に接合されるものゆえ、当該農業用カーテンを巻き取る際に、上記空気は当該農業用カーテンの端縁から順次排出されるので、巻き取り作業を容易かつ確実に行うことができる。
【００１０】
各シート間の接合パターンは、一端側から他端側に連続する非接合領域を有するとよい。これにより、上記巻取作業に際して、非接合領域における各シート間の空気は、この非接合領域の一端又は他端から確実に排出される。
【００１１】
各シート間の接合パターンは、ストライプ状又は散点状であるとよい。これにより、各シート間を容易かつ確実に接着剤によって接合することができる。
【００１２】
当該農業用カーテンにあっては、一対のシート間の接合パターンと他対のシート間の接合パターンとが、平面視で完全に一致していても良いが、平面視でずれているとよい。上記接合パターン同士が平面視で完全に一致していると、その接合部分に応力が集中し、外力が作用した際に破損の生ずるおそれがある。これに対して、上記接合パターン同士が平面視でずれていると、応力を分散でき、破損が生じにくい。
【００１３】
上記第１シートは、第１基材層又は金属層に接着剤を介して積層されるフラットヤーンクロスをさらに有するとよい。これにより、容易かつ確実に第１シートに十分な強度を持たせることができる。
【００１４】
当該農業用カーテンは、農業ハウスの内張に用いられるとよい。上述のように当該農業用カーテンは、十分な保温性向上効果が得られると共に巻き上げ作業を容易かつ確実に行うことができるので、農業ハウスの保温性を的確に維持することができ、しかも農業ハウス内での当該農業用カーテンの巻き上げ作業が簡便である。
【発明の効果】
【００１５】
以上説明したように、本発明に係る農業用カーテンは、十分な保温性向上効果が得られると共に、巻き上げ作業を容易かつ確実に行うことができる。
【図面の簡単な説明】
【００１６】
【図１】本発明の一実施形態に係る農業用カーテンの模式的平面図である。
【図２】図１の農業用カーテンの要部を拡大した説明図であり、（ａ）は模式的断面側面図であり、（ｂ）は（ａ）に一部対応する部分の拡大平面図（但し、図１に比べて９０°傾いている図）である。
【図３】図１の農業用カーテンを巻き上げる状態を説明する模式的側面図であって、（ａ）は第一接合部及び第二接合部の手前まで巻き上げた状態、（ｂ）は（ａ）から第一接合部及び第二接合部付近まで巻き上げた状態を示す。
【発明を実施するための形態】
【００１７】
以下、適宜図面を参照しつつ、本発明の実施の形態を詳説する。
【００１８】
（全体構成）
図１〜図３の農業用カーテンは、ビニールハウス等の農業ハウスの内張りとして用いられ、ロール状に巻回可能な（巻き上げ可能な）可撓性を有する。この農業用カーテンは、重ねあわされた第１シート１０、第２シート２０及び第３シート３０の重畳体から構成されている。具体的には、平面視略方形状の第１シート１０の一方の面に第１シート１０と略同形の第２シート２０が重畳され、この第２シート２０の一方の面に第２シート２０と略同形の第３シート３０が重畳され、当該農業用カーテン１は、方形状のシート積層体として形成されている。なお、以下、本実施形態においては、上記一方の面側を「裏面側」、他方の面側を「表面側」として説明する。なお、この「表面側」が農業ハウスの内張りとして用いられる際に外面側（農業ハウスの外側）として、当該農業用シートは用いられる。
【００１９】
第１シート１０は、合成樹脂を主成分とする第１基材層１１、及びこの第１基材層１１に積層される金属層１３を有する。上記第２シート２０は、合成樹脂又はゴムを主成分とし、多数の気孔を有する断熱層２１を有する。上記第３シート３０は、合成樹脂を主成分とする第２基材層３１を有する。当該農業用カーテンは、重ねあわされる各シート間が接着剤で部分的に接合されている。このため、第１シート１０、第２シート２０及び第３シート３０の三種のシートによる保温性が発揮され、特に各シートは接着剤によって部分的に接合されるので、各シート間に空気が介在しやすく、この空気によって保温性向上効果が十分に発揮される。また、当該農業用カーテンを巻き取る際に、各シートが部分的に接合されているので、上記空気は当該農業用カーテンの側縁から順次排出され、巻き取り作業を容易かつ確実に行うことができる。
【００２０】
当該農業用カーテンの幅は、特に限定されるものではないが、この幅の下限は０．８ｍが好ましく、１ｍがより好ましく、１．３ｍがさらに好ましく、一方、この幅の上限は、１０ｍが好ましく、８ｍがより好ましく、５ｍがさらに好ましい。上記幅が上記下限を満たさないと、保温効果等が十分でなくなるおそれがあり、逆に、上記幅が上記上限を超えると、取扱いが困難となるおそれがある。なお、この「幅」とは、当該農業用カーテンが巻き取られる際の巻取軸の軸方向に平行な方向の長さを意味する。また、当該農業用カーテンの長さは、特に限定されるものではないが、販売に際して当該農業用カーテンを適宜切断して所望の長さにできる程度の長さを有することが好ましい。
【００２１】
（各シートの接合）
当該農業用カーテンは、上述のように各シート間が接着剤で部分的に接合されており、具体的には、図２に示すように、第１シート１０の裏面と第２シート２０の表面とが部分的に接合され、第２シート２０の裏面と第３シート３０の表面とが部分的に接合されている。
【００２２】
上記各シート間の接合パターンは、一端側から他端側に連続する非接合領域を有しており、本実施形態においては各シート間の接合パターンがストライプ状に設けられている（図１参照）。また、一対のシート間の接合パターンと他対のシート間の接合パターンとは、平面視でずれている。つまり、本実施形態において第１シート１０及び第２シート２０の接合パターンと、第２シート２０及び第３シート３０の接合パターンとは、後述するように平面視でずれている。
【００２３】
当該農業用カーテンは、各シート間の接合パターンが、一方の側縁（例えば図１の左側の側縁）から他方の側縁（例えば図１の右側の側縁）にかけて連続する複数の帯状の接合部１ａ，１ｂを有し、この各シート間の接合パターンの複数の帯状の接合部１ａ，１ｂは、平面視互いに交差せずに離間している。具体的には、この各シート間の接合パターンの複数の帯状の接合部１ａ，１ｂは、互いに平行に設けられ、各シートの上縁（図１の上側の側縁（ロール状に巻き取られる際の巻取軸））に平行に設けられている。つまり、各シート間の接合パターンの帯状の接合部１ａ，１ｂが離間している部分によって、上記非接合領域が形成され、これにより、この非接合領域を介して当該農業用カーテンの巻き取りに際して内部の空気が側縁から順次排出される。
【００２４】
より詳述すると、第１シート１０及び第２シート２０間の接合パターンの複数の接合部１ａ（以下、単に第１接合部１ａということがある）は、図１に示すように一方の側縁から他方の側縁にかけて連続し、平面視互いに交差せずに離間しており、この離間している部分によって第１シート１０及び第２シート２０間の接合パターンの非接合領域が形成されている。また、第２シート２０及び第３シート３０間の接合パターンの複数の接合部１ｂ（以下、単に第２接合部１ｂということがある）は、一方の側縁から他方の側縁にかけて連続し、平面視互いに交差せずに離間しており、この離間している部分によって第２シート２０及び第３シート３０間の接合パターンの非接合領域が形成されている。さらに、第１接合部１ａと第２接合部１ｂとは、平面視平行に設けられている。
【００２５】
また、当該農業用カーテンの上端部及び下端部における第１接合部１ａと第２接合部１ｂとは、図１及び図２に示すように平面視重なっているが、中央部における第１接合部１ａ及び第２接合部１ｂ（上端部及び下端部以外の第１接合部１ａ及び第２接合部１ｂ）は、上述のように平面視ずれている（図１及び図２参照）。具体的には、中央部における第１接合部１ａは、第２接合部１ｂと、図２に示すように、平面視一部が重なっているが他の部分が重なっていない。また、中央部における第２接合部１ｂは、第１接合部１ａと平面視一部が重なっているが他の部分が重なっていない。換言すれば、一対のシート間の接合パターンは、他対のシート間の接合パターンと平面視重なっている部分と重なっていない部分とを有している。さらに、他対のシート間の接合パターンも、上記一対のシート間の接合パターンと平面視重なっている部分と重なっていない部分とを有している。
【００２６】
上記第１接合部１ａ（上記中央部における第１接合部１ａ）の接合幅は、特に限定されるものではないが、この接合幅の下限は０．５ｃｍが好ましく、１ｃｍがより好ましく、１．５ｃｍがさらに好ましく、一方、この接合幅の上限は、１０ｃｍが好ましく、５ｃｍがより好ましく、３ｃｍがさらに好ましい。上記接合幅が上記下限を満たさないと、第１シート１０及び第２シート２０の接合力が不十分となるおそれがある。逆に、上記接合幅が上記上限を超えると、第１シート１０及び第２シート２０の接着面積が広くなり過ぎ、当該農業用カーテンの保温力が低下するおそれがある。
【００２７】
上記第１接合部１ａ同士の間隔（第１接合部１ａの一方の端縁とこれに隣接する他の第１接合部１ａの他方の端縁との距離）は、特に限定されるものではないが、この第１接合部１ａ同士の間隔の下限は５ｃｍが好ましく、１０ｃｍがより好ましく、１５ｃｍがさらに好ましく、一方、この第１接合部１ａ同士の間隔の上限は、５０ｃｍが好ましく、４０ｃｍがより好ましく、３０ｃｍがさらに好ましい。上記第１接合部１ａ同士の間隔が上記下限を満たさないと、第１シート１０及び第２シート２０の接合パターンの非接合領域が小さくなり過ぎ、当該農業用カーテンの巻き取りに際して内部の空気の側縁からの排出が不十分となるおそれがある。逆に、上記第１接合部１ａ同士の間隔が上記上限を超えると、重畳される第１シート１０及び第２シート２０の接合する部分が少なくなり、当該農業用カーテンの取り扱いが困難となるおそれがある。
【００２８】
なお、本実施形態において、第１シート１０及び第２シート２０間の接合パターンにあっては、複数の第１接合部１ａ同士の接合幅は略同一に設けられ、また複数の第１接合部１ａ同士の間隔は略同一に設けられている。
【００２９】
上記第２接合部１ｂ（上記中央部における第２接合部１ｂ）の接合幅は、特に限定されるものではなく、例えば上記第１接合部１ａの接合幅と同様に設けることができる。具体的には、この第２接合部１ｂの接合幅の下限は、０．５ｃｍが好ましく、１ｃｍがより好ましく、１．５ｃｍがさらに好ましく、一方、この接合幅の上限は、１０ｃｍが好ましく、５ｃｍがより好ましく、３ｃｍがさらに好ましい。上記接合幅が上記下限を満たさないと、第２シート２０及び第３シート３０の接合力が不十分となるおそれがある。逆に、上記接合幅が上記上限を超えると、第２シート２０及び第３シート３０の接着面積が広くなり過ぎ、当該農業用カーテンの保温力が低下するおそれがある。
【００３０】
第２接合部１ｂ同士の間隔（第２接合部１ｂの一方の端縁とこれに隣接する他の第２接合部１ｂの他方の端縁との距離）は、特に限定されるものではなく、例えば第１接合部１ａ同士の間隔と同様に設けることができる。具体的には、この第２接合部１ｂ同士の間隔の下限は５ｃｍが好ましく、１０ｃｍがより好ましく、１５ｃｍがさらに好ましく、一方、この第２接合部１ｂ同士の間隔の上限は、５０ｃｍが好ましく、４０ｃｍがより好ましく、３０ｃｍがさらに好ましい。上記第２接合部１ｂ同士の間隔が上記下限を満たさないと、第２シート２０及び第３シート３０の接合パターンの非接合領域が小さくなり過ぎ、当該農業用カーテンの巻き取りに際して内部の空気の側縁からの排出が不十分となるおそれがある。逆に、上記第２接合部１ｂ同士の間隔が上記上限を超えると、重畳される第２シート２０及び第３シート３０の接合する部分が少なくなり、当該農業用カーテンの取り扱いが困難となるおそれがある。
【００３１】
なお、本実施形態において、第２シート２０及び第３シート３０間の接合パターンにあっては、複数の第２接合部１ｂの接合幅は略同一に設けられ、また複数の第２接合部１ｂ同士の間隔は略同一に設けられている。
【００３２】
また、当該農業用カーテンの上端部（巻き上げ基端）及び下端部（自由端）における第１接合部１ａ並びに第２接合部１ｂの接合幅は、特に限定されるものではないが、この接合幅の下限は０．５ｃｍが好ましく、１ｃｍがより好ましく、１．５ｃｍがさらに好ましく、一方、この接合幅の上限は、１０ｃｍが好ましく、５ｃｍがより好ましく、３ｃｍがさらに好ましい。上記接合幅が上記下限を満たさないと、各シート間の上端部及び下端部における接合力が不十分となるおそれがある。逆に、上記接合幅が上記上限を超えると、シート間の接着面積が広くなり過ぎ、当該農業用カーテンの保温力が低下するおそれがある。
【００３３】
さらに、当該農業用カーテンの中央部における第１接合部１ａが上述のように第２接合部１ｂと平面視重なる部分の幅は、特に限定されるものではないが、この重なる部分の幅の下限は、０．１ｃｍが好ましく、０．２ｃｍがより好ましく、０．３ｃｍがさらに好ましく、一方、この重なる部分の幅の上限は、５ｃｍが好ましく、３ｃｍがより好ましく、１ｃｍがさらに好ましい。上記平面視重なる部分の幅が上記下限を満たさないと、この幅の狭い部分（重なる部分）に応力が集中して、この部分の破損等をまねくおそれがある。逆に、この重なる部分の幅が上記上限を超えると、シート間の接着面積が広くなり過ぎ、当該農業用カーテンの保温力が低下するおそれがある。
【００３４】
また、当該農業用カーテンの中央部における第１接合部１ａが第２接合部１ｂと平面視重ならない部分の幅は、特に限定されるものではないが、この重ならない部分の幅の下限は、０．４ｃｍが好ましく、０．８ｃｍがより好ましく、１．２ｃｍがさらに好ましく、この重ならない部分の幅の上限は、５ｃｍが好ましく、３ｃｍがより好ましく、２ｃｍがさらに好ましい。上記平面視重ならない部分の幅が上記下限を満たさないと、巻上げに際して内径差に基づく第２シート２０及び第３シート３０の撓みによって巻上げ作業の円滑性を阻害するおそれがある（詳細の理由は図３を用いて後述する）。逆に、この重ならない部分の幅が上記上限を超えると、シート間の接着面積が広くなり過ぎ、当該農業用カーテンの保温力が低下するおそれがある。同様の理由から、当該農業用カーテンの中央部における第２接合部１ｂが第１接合部１ａと平面視重ならない部分の幅の下限は、０．４ｃｍが好ましく、０．８ｃｍがより好ましく、１．２ｃｍがさらに好ましく、この重ならない部分の幅の上限は、５ｃｍが好ましく、３ｃｍがより好ましく、２ｃｍがさらに好ましい。
【００３５】
なお、上記各シートを接着する接着剤は、種々のものを採用することができるが、加工容易性を考慮すると、液体状の接着剤組成物の塗工後に乾燥することで硬化して、両者を接着するものが好適に用いられる。また、後述するフラットヤーンクロスの積層に用いられる接着剤も同様である。
【００３６】
（第１シート）
上記第１シート１０は、上述のように第１基材層１１及び金属層１３を有すると共に、第１基材層１１又は金属層１３に接着剤を介して積層されるフラットヤーンクロス１５をさらに有している。本実施形態においては、第１基材層１１の表面に金属層１３が積層され、第１基材層１１の裏面にフラットヤーンクロス１５が積層されている。金属層１３は、第１基材層１１の表面全面に積層され、またフラットヤーンクロス１５は、第１基材層１１の裏面全面に接着剤を介して接着されている。
【００３７】
第１基材層１１は、合成樹脂を主成分とする樹脂フィルムから構成されている。この第１基材層１１の主成分としては、例えばポリエチレン、ポリプロピレン、ポリエチレンテレフタレート、ポリアミド、アクリル樹脂、エチレン−酢酸ビニル共重合体、ポリエチレンナフタレート、ポリ塩化ビニル等を用いることができ、中でも、強度、耐久性、耐熱性及び汎用性を考慮すると、ポリエチレンテレフタレートが好適に用いられる。
【００３８】
なお、第１基材層１１の形成材料としては、上記合成樹脂を１種又は２種以上混合して使用することもでき、また、第１基材層１１の形成材料中には、加工性、耐熱性、耐候性、機械的性質、寸法安定性等を改良、改質する目的で、種々の添加剤等を混合することができる。さらに、第１基材層１１が、有色透明、有色のものであっても良いが、無色かつ透明であることが好ましい。また、第１基材層１１の成形方法としては、特に限定されず、例えば押出し法、キャスト成形法等の公知の方法が採用される。
【００３９】
第１基材層１１の厚み（平均厚み）は、特に限定されるものではないが、この厚み（平均厚み）の下限としては、１０μｍが好ましく、２０μｍがより好ましく、３０μｍがさらに好ましく、この厚み（平均厚み）の上限としては、５００μｍが好ましく、２５０μｍがより好ましく、１８８μｍがさらに好ましい。上記第１基材層１１の厚み（平均厚み）が、上記下限を満たないと、取扱いの困難性等が生ずるおそれがある。逆に、第１基材層１１の厚み（平均厚み）が、上記上限を超えると、巻取り作業の困難性等が生ずるおそれがある。
【００４０】
金属層１３は、本実施形態においては、第１基材層１１に蒸着された金属蒸着層から構成されている。この金属蒸着層の蒸着手段としては、特に限定されるものではなく、例えば（（ａ）真空蒸着法、スパッタリング法、イオンプレーティング法、イオンクラスタービーム法等の物理気相成長法（Ｐｈｙｓｉｃａｌ  Ｖａｐｏｒ  Ｄｅｐｏｓｉｔｉｏｎ法；ＰＶＤ法）、（ｂ）プラズマ化学気相成長法、熱化学気相成長法、光化学気相成長法等の化学気相成長法（Ｃｈｅｍｉｃａｌ  Ｖａｐｏｒ  Ｄｅｐｏｓｉｔｉｏｎ法；ＣＶＤ法）が採用される。これらの蒸着法の中でも、生産性が高く良質な金属蒸着層が形成できる真空蒸着法やイオンプレーティング法が好ましい。
【００４１】
金属蒸着層に用いられる金属としては、特に限定されるものではなく、アルミニウム、銀、金、銅等を用いることができ、中でも、蒸着の容易性、ガスバリア性、光反射性能及び形成容易性を考慮するとアルミニウムが好適に用いられる。
【００４２】
なお、金属蒸着層は、単層構造でもよく、２層以上の多層構造でもよい。このように金属蒸着層を多層構造とすることで、蒸着の際に懸かる熱負担を軽減することができる。また、蒸着条件は、第１基材層１１の樹脂種類、金属蒸着層の厚み等に応じて適宜設計される。
【００４３】
金属蒸着層の厚み（平均厚み）は、特に限定されるものではいなが、この厚み（平均厚み）の下限としては、１０ｎｍが好ましく、２０ｎｍがより好ましく、一方、この厚み（平均厚み）の上限としては、２００ｎｍが好ましく、１００ｎｍがより好ましい。金属蒸着層の厚み（平均厚み）が上記下限に満たないと、金属層１３の所望の機能が低下するおそれがある。逆に、金属蒸着層の厚み（平均厚み）が上記上限を超えると、金属層１３にクラック等の欠陥が発生するおそれがある。
【００４４】
フラットヤーンクロス１５としては、合成樹脂を主成分とするフラットヤーンを織成したものが用いられ、例えばａ）フラットヤーンを平織りしたもの、ｂ）フラットヤーンを平織りしたものから縦糸用ヤーン又は横糸用ヤーンを抜き、スリット状の目抜け部分を形成したもの、ｃ）割布、ｄ）組布、ｅ）不織布などが挙げられる。
【００４５】
フラットヤーンを構成する合成樹脂としては、特に限定されるものではないが、例えばポリエチレン、ポリプロピレン等のポリオレフィン系樹脂が、強度、形成容易性の観点から好適に用いられる。
【００４６】
このフラットヤーンの厚み（平均厚み）は、特に限定されるものではないが、この厚み（平均厚み）の下限としては１μｍが好ましく、３μｍがより好ましく、５μｍがさらに好ましく、上限としては２００μｍが好ましく、１００μｍがより好ましく、５０μｍがさらに好ましい。フラットヤーンの厚み（平均厚み）が上記範囲外であると、織成が困難となるおそれがある。
【００４７】
（第２シート）
第２シート２０は、本実施形態にあっては、上述のように多数の気孔を有する断熱層２１の一層構造からなる。
【００４８】
この断熱層２１の厚みは、特に限定されるものではないが、断熱層２１の厚みの下限としては、０．２ｍｍが好ましく、０．３ｍｍがより好ましく、０．４ｍｍがさらに好ましい。また、断熱層２１の厚みの上限としては、５ｍｍが好ましく、３ｍｍがより好ましく、１ｍｍがさらに好ましい。断熱層２１の厚みが上記下限を満たないと、当該農業用カーテンの保温性向上効果が十分に得られなくなるおそれがある。逆に断熱層２１の厚みが上記上限を超えると、当該農業用カーテンの巻取作業が困難となるおそれがある。なお、断熱層２１の厚みは、レーザー光を照射して、透過光を分析することによって測定することができ、具体的には特開平７−１２８０２３号公報所載の方法によって測定することができる。
【００４９】
断熱層２１の熱伝導率（２０℃）は、０．０５Ｗ／ｍ・Ｋ以下であることが好ましく、０．０４４Ｗ／ｍ・Ｋ以下であることがより好ましく、０．０４Ｗ／ｍ・Ｋ以下であることがさらに好ましい。これにより、断熱層２１による断熱効果に優れ、当該農業用カーテンによる保温性向上効果を十分に発揮することができる。なお、熱伝導率は、ＪＩＳ  Ａ１４１２に準拠して測定される値である。また、この断熱層２１の熱伝導率（２０℃）の下限は特に限定されず、０超であれば良い。
【００５０】
断熱層２１の長さ方向（当該農業用カーテンの長さ方向）の引張強さの下限としては、５０Ｎ／ｃｍ２であることが好ましく、７０Ｎ／ｃｍ２であることがより好ましく、８５Ｎ／ｃｍ２であることがさらに好ましい。また、断熱層２１の長さ方向の引裂強さの下限としては、１５Ｎ／ｃｍであることが好ましく、２０Ｎ／ｃｍであることがより好ましく、２８Ｎ／ｃｍであることがさらに好ましい。また、断熱層２１の幅方向（当該農業用カーテンの幅方向）の引張強さの下限としては、１５Ｎ／ｃｍ２であることが好ましく、２０Ｎ／ｃｍ２であることがより好ましく、２６Ｎ／ｃｍ２であることがさらに好ましい。また、断熱層２１の幅方向の引裂強さの下限としては、８Ｎ／ｃｍであることが好ましく、１０Ｎ／ｃｍであることがより好ましく、１４Ｎ／ｃｍであることがさらに好ましい。断熱層２１の引張強さ及び引裂強さが上記下限を満たないと、断熱層２１を積層する作業に際して断熱層２１の取り扱いが困難となるおそれがあると共に、当該農業用カーテンの強度に欠けるおそれがある。なお、断熱層２１の長さ方向及び幅方向の引張強さ、並びに長さ方向及び幅方向の引裂強さの上限は特に限定されない。例えば、断熱層２１の長さ方向の引張強さの上限としては２００Ｎ／ｃｍ２であり、幅方向の引張強さの上限としては、１００Ｎ／ｃｍ２であり、長さ方向の引裂強さの上限として１００Ｎ／ｃｍであり、幅方向の引裂強さの上限としては、５０Ｎ／ｃｍである。なお、引張強さ及び引裂強さは、ＪＩＳ  Ｋ６７６７に準拠して測定される値である。
【００５１】
上記断熱層２１は、合成樹脂又はゴムを主成分とするものであれば特に限定されるものではないが、ポリオレフィン系樹脂等の合成樹脂を主成分とすることが取扱性や形成容易性等の観点から好ましい。このポリオレフィン系樹脂としては、分岐状低密度ポリエチレン、中密度ポリエチレン、高密度ポリエチレン、直鎖状低密度ポリエチレン、直鎖状超低密度ポリエチレン、エチレン−プロピレンブロック共重合体、エチレン−プロピレンランダム共重合体、エチレン−ブテンブロック共重合体、エチレン−ブテンランダム共重合体、エチレン−酢酸ビニル共重合体、エチレン−メチルメタクリレート共重合体等のポリエチレン系樹脂や、プロピレン単独重合体、プロピレン−ブテンランダム共重合体、ポリブテン、ポリペンテン、プロピレン−エチレン−ブテン三元共重合体、プロピレン−アクリル酸共重合体、プロピレン−無水マレイン酸共重合体のポリプロピレン系樹脂等が挙げられる。
【００５２】
（第３シート）
第３シート３０は、本実施形態にあっては、上述のように合成樹脂を主成分とする第２基材層３１の一層構造からなる。
【００５３】
第２基材層３１は、合成樹脂を主成分とする樹脂フィルムから構成されている。この第２基材層３１の主成分としては、特に限定されるものではないが、第１基材層１１と同様に、例えばポリエチレン、ポリプロピレン、ポリエチレンテレフタレート、ポリアミド、アクリル樹脂、エチレン−酢酸ビニル共重合体、ポリエチレンナフタレート、ポリ塩化ビニル等を用いることができ、中でも、強度、耐久性、耐熱性及び汎用性を考慮すると、ポリエチレンテレフタレートが好適に用いられる。
【００５４】
第２基材層３１の厚み（平均厚み）は、特に限定されるものではないが、この厚み（平均厚み）の下限としては、１０μｍが好ましく、２０μｍがより好ましく、３０μｍがさらに好ましく、この厚み（平均厚み）の上限としては、５００μｍが好ましく、２５０μｍがより好ましく、１８８μｍがさらに好ましい。上記第２基材層３１の厚み（平均厚み）が、上記下限に満たないと、第２基材層３１の破損等が生ずるおそれがある。逆に、第２基材層３１の厚み（平均厚み）が、上記上限を超えると、巻取り作業の困難性等が生ずるおそれがある。
【００５５】
（製造方法）
次に、当該農業用カーテンの製造方法の一例を説明するが、当該農業用カーテンは以下の説明の方法によって製造されるものに限定されるものではない。
【００５６】
当該農業用カーテンは、第１シート１０と第２シート２０とを接合する第１接合工程、及び第２シート２０と第３シート３０とを接合する第２接合工程を有している。
【００５７】
第１接合工程においては、第１シート１０の裏面及び／又は第２シート２０の表面に、第１接合部１ａに相当する箇所に接着剤を塗布し、その後第１シート１０及び第２シート２０を重ね合わせて、上記接着剤によって第１シート１０及び第２シート２０を接合する。この第１接合工程は、各シート用の原反から第１シート１０及び第２シート２０を順次繰出し、連続的に送給される第１シート１０及び／又は第２シート２０に接着剤を連続的に塗布し、塗布後に第１シート１０及び第２シート２０を重ね合わせることによって行うことができる。
【００５８】
第２接合工程においては、第２シート２０の裏面及び／又は第３シート３０の表面に、第２接合部１ｂに相当する箇所に接着剤を塗布し、その後第２シート２０及び第３シート３０を重ね合わせて、上記接着剤によって第２シート２０及び第３シート３０を接合する。この第２接合工程は、各シート用の原反から第２シート２０及び第３シート３０を順次繰出し、連続的に送給される第２シート２０及び／又は第３シート３０に接着剤を連続的に塗布し、塗布後に第２シート２０及び第３シート３０を重ね合わせることによって行うことができる。
【００５９】
この第１接合工程及び第２接合工程において接着剤がそれぞれ塗布される箇所（第１接合部１ａ及び第２接合部１ｂ）は、シート中央部において既述のようにずれている。
【００６０】
なお、第１接合工程及び第２接合工程の前後は問わず、第１接合工程後に第２接合工程を行なうことも、第２接合工程の後に第１接合工程を行なうことも可能である。さらには、第１接合工程及び第２接合工程を同時に行うことも可能である。つまり、例えば第２シート２０の表裏面それぞれ（並びに／若しくは第１シート１０の裏面及び／又は第３シート３０の表面）に接着剤を塗布し、その後第１シート１０及び第３シート３０を第２シート２０に重ね合わせて、第１シート１０、第２シート２０及び第３シート３０を接合することもできる。
【００６１】
（利点）
当該農業用カーテンにあっては、ビニールハウス等の農業ハウスの内張りとして用いられ、天候や作物等に応じて保温及び遮光等を行うために適宜巻き上げ、引き下ろされて用いられる。当該農業用カーテンは、既述のように三種のシートの積層体から構成されているので、三種のシートによる保温性が発揮され、特に各シートが部分的に接合されるので、各シート間に空気が介在しやすく、この空気によって保温性向上効果が十分に発揮される。このため、当該農業用カーテンを内張として用いた農業ハウスの保温性を的確に維持することができる。
【００６２】
また、当該農業用カーテンは、金属層１３が設けられているので、遮光性にも優れ、さらには金属層１３のガスバリア性によって保温性向上効果が十分に発揮される。
【００６３】
さらに、第１シート１０が、第１基材層１１又は金属層１３に接着剤を介して積層されるフラットヤーンクロス１５を有するので、このフラットヤーンクロス１５によって第１シート１０に十分な強度を持たせることができる。
【００６４】
また、各シートは、接着剤によって部分的に接合されるものゆえ、当該農業用カーテンを巻き取る際に、接合パターンの一端側から他端側に連続する非接合領域から各シート間の空気が確実に排出され、周縁を縫製したものに比べて巻取り作業を容易に行うことができる。
【００６５】
さらに、上記接合パターンがストライプ状であるので、各シート間を容易かつ確実に接着剤によって接合することができる。
【００６６】
また、第１接合部１ａと第２接合部１ｂとが平面視でずれて配設されているので、応力集中を緩和でき、外力が作用した際に破損するおそれが少ない。これに対して、上記接合パターン同士が平面視でずれていると、応力を分散でき、破損が生じにくい。
【００６７】
さらには、第１接合部１ａと第２接合部１ｂとが平面視でずれて配設されていることで巻取作業の容易性を向上することができる。つまり、当該農業用カーテンをロール状に巻いていくと、図３（ａ）に示すように、第１シート１０及び第２シート２０の内径差に基づいて第１接合部１ａ及び第２接合部１ｂ付近にシートの撓みが生じ、第１シート１０及び第２シート２０間に空間Ｓ１が生ずる。同様に、第２シート２０及び第３シート３０間に空間Ｓ２が生ずる。この状態からさらに当該農業用カーテンをロール状に巻回していくと図３（ｂ）に示すような状態となる。この際、まず第１シート１０及び第２シート２０間の空間Ｓ１がなくなるように第２シート２０が折り畳まられ、次いで第２シート２０及び第３シート３０間に空間Ｓ２がなくなるように第３シート３０が折り畳まられる。つまり、第１接合部１ａ及び第２接合部１ｂ付近を巻き取る際に、上記二つの空間Ｓ１，Ｓ２が同時にではなく順になくなるように第２シート２０及び第３シート３０が折り畳まれるので、第１接合部１ａ及び第２接合部１ｂ付近の巻取作業が円滑に行い得る。
【００６８】
［その他の実施形態］
上記実施形態は上記構成からなり上述の利点を奏するものであったが、本発明はこれに限定されるものではなく、本発明の意図する範囲内で適宜設計変更可能である。
【００６９】
つまり、上記実施形態においては、重ねあわされる各シート間がストライプ状に配された接着剤で接合されるものについて説明したが、本発明はこれに限定されず、例えば散点的に配設された接着剤によって各シート間が部分的に接合されるものも本発明の意図する範囲内である。ただし、散点的に配設された接着剤による場合、特定箇所の接着剤に応力が集中するおそれ等があるため、上記実施形態のように各シート間がストライプ状に配されることが好ましい。
【００７０】
また、上記実施形態においては、第１シートが三層構造のものについて説明したが、本発明はこれに限定されず、第１シートは、四層以上の構造のものであっても良く、さらには第１基材層と金属層との二層構造であってもよい。ただし、第１基材層の裏面側（第２シート側）に金属層が配設される場合にあっては、上記実施形態のフラットヤーンクロスのように裏面が非平滑面である樹脂層が第１シートの最裏面に配設されていることが好ましい。これによって、第２シートは、上記第１シートの樹脂層の非平滑面に接触するため、第１シートと第２シートとの密着してしまうことを防止でき、また当該農業用カーテンの巻取時等の使用時における第１シート及び第２シートの摩擦等に基づくシートの破損等を的確に防止できる。
【００７１】
さらに、上記実施形態では、金属層が金属蒸着層から構成されるものについて説明したが、金属層が第１基材層に積層接着される金属箔等から構成することも可能である。ただし、金属箔等を用いた場合、金属箔と第１基材層等との接着強度が不十分となるおそれ等があるため、上記実施形態のように金属層として金属蒸着層から構成することが好ましい。
【００７２】
さらに、上記実施形態においては、第２シート及び第３シートが一層構造のものについて説明したが、第２シート及び／又は第３シートが多層構造のものとすることも可能である。
【００７３】
［実施例］
次に、当該農業用カーテンの実施例及び参考例を比較することで、当該農業用カーテンの保温性について説明するが、本発明はこの実施例の構成に拘束されるものではない。
【００７４】
（実施例１）
実施例１の農業用カーテンは、上記実施形態のような第１接合部及び第２接合部によって部分的に接合された第１シート、第２シート及び第３シートから構成される。
【００７５】
この第１シートとしては、第１基材層にアルミニウム蒸着によって金属層を積層したアルミ蒸着フィルムと、フラットヤーンクロスとを接着剤によって全面的に接着したシートを用いた。第１基材層は、平均厚み１２μｍのＰＥＴアルミ蒸着製のフィルムから構成されている。金属層の厚みは５００Åであった。フラットヤーンクロスとしては平均厚み４３μｍのフラットヤーンを平織りしたものを用いた。
【００７６】
第２シートとして、厚み１．０ｍｍの発泡シート（商品名「ミナフォーム（銘柄ＭＦ＃５１０）」：酒井化学工業株式会社製）を用いた。
【００７７】
第３シートとして、平均厚み９０μｍのメタロセンフィルム（メタロセンポリエチレン製のフィルム）を用いた。
【００７８】
実施例１の農業用カーテンは、第１接合部及び第２接合部の接合幅を２．５ｃｍとし、第１接合部間の距離及び第２接合部間の距離を２２ｃｍとした。第１接合部と第２接合部とが平面視重なる部分の幅は０．５ｃｍとした。
【００７９】
（比較例１）
比較例１の農業用カーテンは、各シート間を接着剤で全面的に接着した以外は実施例１と同様の構成からなる。つまり、比較例１では、上記実施例１の第１シートの裏面に上記実施例１の第２シートを接着剤を用いて全面的に接着し、この第２シートの裏面に接着剤を用いて上記実施例１の第３シートを全面的に接着した。
【００８０】
（保温性の試験）
実施例１及び比較例１について保温性の試験を行った。この保温性の試験は、容量１リットルのポリタンクに１リットルの水を入れた後、６５℃のオーブンで６０℃程度まで加熱し、机に断熱ボードを敷いた上にこのポリタンクを載せ、このポリタンクの周囲及び上部を実施例１及び比較例１の農業用カーテンで覆った。具体的には、農業用カーテンでポリタンク周囲を包み、農業用カーテンのポリタンク周囲を包んだ部分よりも上側の部分をポリタンク上部側に折り返すようにしてポリタンク上部も覆った。この状態で室内（気温１４度前後）に放置して、水温の変化を経時的に測定した。
【００８１】
その測定結果を以下の表１〜３に示す。なお、「なし」としているのは、農業用カーテンを包まないで放置したポリタンクの水温変化を示す。また、温度の測定は、同時に行ったため、初期値（時間０分）の温度が表１に示すように相違している。
【００８２】
【表１】
2016149977.tif 000003
【００８３】
【表２】
2016149977.tif 000004
【００８４】
【表３】
2016149977.tif 000005
【００８５】
（評価）
実施例１は、初期温度が比較例１よりも０．５℃低いにも拘わらず、３０分経過後以降は比較例１よりも高い温度を保っていることが分かる。つまり、比較例１の農業用カーテンは、全く使用しない場合（各表の「なし」の項）に比べると保温性があるものの、実施例１のような保温性を発揮していない。以上のように、実施例１の農業用カーテンは、比較例１のものに比べて高い保温性を有することが分かる。
【産業上の利用可能性】
【００８６】
以上のように、本発明の農業用カーテンは、ビニールハウス等の農業ハウスの内張りとして好適に用いられる。
【符号の説明】
【００８７】
１０  第１シート
１１  第１基材層
１３  金属蒸着層
１５  フラットヤーンクロス
２０  第２シート
２１  断熱層
３０  第３シート
３１  第２基材層
１ａ  第１接合部
１ｂ  第２接合部
Ｓ１  巻取時に第１シートと第２シートとの間にできる空間
Ｓ２  巻取時に第２シートと第３シートとの間にできる空間
【図１】
2016149977.tif 000006
【図２】
2016149977.tif 000007
【図３】
2016149977.tif 000008